(57)【要約】【課題】スムーズにワイヤの出し入れが行える台座を具有するマウスの構造を提供する。【解決手段】マウス本体５０の後方より、末端にプラグ５５を具有するワイ５２ヤを延伸させ、更に上下外殻４０１，４０２より構成される台座４０を設けるが、該台座４０に設けた上パイロット孔４３より該ワイヤ５２を該台座４０内部に引き込ませ、もう一つの下パイロット孔４４からは該台座４０より該ワイヤ５２を外部に引き出し、マウスを使用しないときはワイヤを収納した状態で該マウス本体５０の内表面を該台座４０の表面上に重ねて位置決めして一体にする。【選択図】　　　　図３
0003097672.tif 000002
【実用新案登録請求の範囲】
【請求項１】
マウス本体と台座とより構成される、台座を具有するマウスの構造において、後側からある一定の長さの信号ワイヤが設けられており、該ワイヤの他端には端子に接続されるべくプラグが設けられているマウス本体と、
上，下外殻によって構成されており、ワイヤを内部に出し入れするべく設けられた上パイロット孔と、ワイヤを外に出し入れすべく設けられた下パイロット孔とを具有し、該マウス本体の内表面と重ねて位置決めされる台座と、
を具有することを特徴とする台座を具有するマウスの構造。
【請求項２】
該台座の側面には、それぞれ円弧形を呈した凸縁が設けられており、該マウス本体外周が該凸縁の内壁面と接して位置決めされ、該マウス本体が該台座の表面上にて位置決めされることを特徴とする請求項１記載の台座を具有するマウスの構造。
【請求項３】
該台座の内部には収納空間を具有し、該収納空間中にはワイヤ巻取装置を含み、ワイヤが該ワイヤ巻取装置中に収納されることを特徴とする請求項１記載の台座を具有するマウスの構造。
【請求項４】
該ワイヤ巻取装置には該収納空間中にて固定される固定軸を含み、
少なくとも二つ以上のＡ，Ｂワイヤ巻取輪のそれぞれの中心孔が、該固定軸上にて回転可能な状態で設置されており、
更に該Ａ，Ｂワイヤ巻取輪上には、ワイヤが巻き付けられて収納されるべく、Ａ，Ｂワイヤ巻取凹部が設けられており、
渦巻状の巻取りばねが該Ａワイヤ巻取輪のある一定の位置に設けられた側面溝中に設けられており、
該巻取りばねの内端が該固定軸上に固定され、該巻取りばねの外端が該側面溝の溝壁上にて固定されている、
ことを特徴とする請求項３記載の台座を具有するマウスの構造。
【請求項５】
該Ａ，Ｂワイヤ巻取輪の間には環状片が設けられ、該環状片上には切り込みが設けられており、
該ワイヤが該Ａワイヤ巻取凹部中より延長して該Ｂワイヤ巻取凹部中にまで進入するが、該切り込みによって該ワイヤが係止する位置が提供されていることを特徴とする請求項４記載の台座を具有するマウスの構造。
【請求項６】
該Ａ，Ｂワイヤ巻取輪両者の直径は、異なるもの、或いは等しいもの、の何れかであることを特徴とする請求項４記載の台座を具有するマウスの構造。
【考案の詳細な説明】
【０００１】
【考案の属する技術分野】
本考案は台座を具有するマウスの構造に係り、特にマウス本体の後ろ側より延伸するワイヤに台座を連結させ、該マウス本体が該台座と重ねられて一体となっている、台座を具有するマウスの構造に関わる。
【０００２】
【従来の技術】
公知のマウスのワイヤ巻取器においては、二つの円盤状のパイロット構造を利用し、手動による操作でこれらを回転させ、シグナルワイヤをマウス内から出し入れするものが考案されている。該シグナルワイヤを収納する収納凹部では、ワイヤが絡まったり、ワイヤの出し入れがスムーズに行えないといった欠点、並びに自動ワイヤ巻取の機能がないといった実用性に欠ける点、更にはワイヤ巻取器がマウス上に設置されていることから、設置されるワイヤの長さにも限度がある、といった問題点などがあった。
そこでこれを改良するべく、既にワイヤ巻取器付きのマウスが開発されているが、これは上外殻と下外殻を中心軸によって連結させ、該中心軸の外周の空間にワイヤ巻取凹部を設け、シグナルワイヤが該中心軸に巻き付けられる構造を呈したものである。ワイヤを人の手によって引き出すときは、マウス本体が回転し、ワイヤを人の手によってワイヤ巻取凹部中に収納するときは、マウス本体を反対方向に回転させて収納するものであるが、これも手動によるもので、まだまだ実用性には欠けており、上述の考案と同様にワイヤの長さの限度の問題が未解決である。
そこで、更に改良されたものとして、弾力部によって駆動する単一ワイヤ巻取輪が、軸上に回転可能な状態で設置されたものが考案されており、これは該ワイヤが該収納輪からの出し入れに、ワイヤとマウス内部の回路の電気的連結を利用したものであり、詳細には該収納輪上に摺動して接触する導電体を設け、該導電体が該ワイヤと同時に回転し、固定された蓋の内表面にプリントされた導電層上に、該回転する導電体が摺動するのを利用したものである。
【０００３】
【考案が解決しようとする課題】
しかし、上述のような既に最も初歩的な欠点が改良されたタイプの公知構造のものにおいても、以下のような欠点がある。
先ず、該導電体が回転して摺動することであるが、長期的に使用することによって、導電体の表面が磨耗し、接触不良を起すことである。また、ワイヤ巻取装置がマウス本体上に設けられていることで、ワイヤの長さにおける問題が未解決のままであることである。
そこで上述の欠点に鑑み、スムーズにワイヤの出し入れが行える本考案の台座を具有するマウスの構造を提供する。
【０００４】
【課題を解決するための手段】
マウス本体の後方より、末端にプラグを具有するワイヤを延伸させ、更に上下外殻より構成される台座を設けるが、該台座に設けた上パイロット孔より該ワイヤを該台座内部に穿入させ、もう一つの下パイロット孔からは該台座よりワイヤを外部に進出させ、該マウス本体の内表面を該台座の表面上に重ねて定位して一体にする。
【０００５】
【考案実施の形態】
図１，２に示すように、本考案には主にマウス本体５０を含み、該マウス本体５０後方にはある一定の長さのワイヤ５２が設けられており、該ワイヤ５２の末端は、端子プラグ５５に接続されている。
上，下外殻４０１，４０２より構成される台座４０においては、上，下パイロット孔４３，４４を具有し、該ワイヤ５２が該上パイロット孔４３より該台座４０中に引き込まれ、該下パイロット孔４４より該台座４０外に延伸しており、該マウス本体５０の内表面は、該台座４０の表面４８上に重なって位置決めされている（図２参照）。
該マウス本体５０が該台座４０の表面４８で位置決めされるべく、該台座４０の側面は、それぞれ円弧形を呈した凸縁４５が設けられており、該マウス本体５０の外周５１は、該円弧凸縁４５の内壁面上にて位置決めされている。
該台座４０の内部には収納空間４２を具有し、該収納空間４２にはワイヤ巻取装置１００が設けられ、該ワイヤ５２が該ワイヤ巻取装置１００中に収納される。
【０００６】
図３に示すように、該ワイヤ巻取装置１００は固定軸３０を含み、該固定軸３０は該収納空間４２中にて固定されており、少なくとも二個以上のＡ，Ｂワイヤ巻取輪１０，２０が一体となったものを含み、両該収納輪１０，２０はそれぞれ中心孔１２を具有し、該中心孔１２は、該固定軸３０上にて回転できるよう、回転可能な状態で設置されている。
該Ａ，Ｂワイヤ巻取輪１０，２０上には、Ａ，Ｂワイヤ巻取凹部１５，２５が設けられており、該ワイヤ５２が該ワイヤ巻取凹部１５，２５中に巻きつけられて収納される。
渦巻状巻取りばね８０においては、該Ａワイヤ巻取輪１０に設けられた側面溝１１中に設けられ、該巻取りばね８０の内端８１は、該固定軸３０上に固定されており、外端８２は該側面溝１１の溝壁面に固定されている。
更に該Ａ，Ｂワイヤ巻取輪１０，２０の間には環状片１３が設けられており、該環状片１３上には切り込み１３１が設けられており、該ワイヤ５２が該Ａワイヤ巻取凹部１５中より延伸して該Ｂワイヤ巻取凹部２５中に進入し、該切り込み１３１は該ワイヤ５２を係止させる個所を形成している。また該Ａ，Ｂワイヤ巻取輪１０，２０の直径Ｄ，ｄにおいては、等しく設計しても、異なるものとして設計してもよいものとする（図６参照）。
【０００７】
図１，２，４に示すように、台座の該円弧凸縁４５の内側には傾斜する凸架４５１を設けることにより、該マウス本体５０が上から下に該表面４８上に嵌入するとき、その外周５１は該凸架４５１と接触して位置決めされ、該円弧凸縁４５がその弾力によって外側にやや湾曲したように変形し、該マウス本体５０が効果的に該表面４８上にて位置決めされ、こうして該マウス本体５０が該台座４０と結合されて一体となり、収納や携帯に便利となる。また使用する際は、該マウス本体５０を下から上へと動かして該台座４０から外すとき、該凸架４５１が受ける力がなくなり、該円弧凸縁４５はその弾力によって元に戻り、該マウス本体５０が該台座４０から取り外されて使用できるようになる。
【０００８】
図２，３，６に示すように、該台座４０内部の収納空間４２中に設けられたワイヤ巻取装置１００において、該Ａ，Ｂワイヤ巻取輪１０，２０が該固定軸３０上に回転可能な状態で設置されており、該Ａワイヤ巻取輪１０が一回転すると、該Ｂワイヤ巻取輪２０も同様に一回転する。該Ａワイヤ巻取輪１０が一回転すると、該Ａワイヤ巻取凹部１５中から出入する外線５２２の長さがπ×Ｄ（Ｄは該Ａワイヤ巻取輪１の直径）となり、該Ｂワイヤ巻取輪２０が一回転すると、該Ｂワイヤ巻取凹部２５中の内線５２１の長さはπ×ｄ（ｄは該Ｂワイヤ巻取輪２０の直径）となる。
よって、該Ａ，Ｂワイヤ巻取輪１０，２０は、同軸で回転すると、両該ワイヤ巻取輪１０，２０の長さの比率は、該Ａ，Ｂ回転軸１０，２０の直径の比、つまりＤ：ｄとなる。本考案の実施例中では該Ａ，Ｂワイヤ巻取輪１０，２０の直径比を１０：１としている。
該マウス本体１０が使用者によって引っ張られると、該外線５２２が外に出され、該プラグ５５に付いている内線５２１も外に出る。該外線５２２を５０ｃｍ引っ張り出すと、同時に該内線５２１が該下パイロット孔４４外より該Ｂワイヤ巻取凹部２５外に５ｃｍ出され、該内線５２１外端に連結している該プラグ５５を電子機器に挿し込むことができ、該マウス本体５０が移動するとき、該プラグ５５と該台座４０間に過度の移動距離が発生しないようになっている。
ワイヤを収納しようとするときは、該Ａ，Ｂワイヤ巻取輪１０，２０が該渦巻状の巻取りばね８０の収縮作用を受け、該内，外線５２１，５２２が該Ａ，Ｂワイヤ巻取凹部１５，２５に収納される。該プラグ５５の後ろ側は、該ストップ部４３１にて止められ、該プラグ５５が該台座４０中にて定位される機能が提供されている（図３，５参照）。
【０００９】
図５に示すように、使用する環境に応じて、該Ａ，Ｂワイヤ巻取輪１０，２０はその直径を等しいもの（１：１）として設計してもよく、こうすることで該内，外線５２１，５２２が引っ張られる、或いは収納されるとき、両者の長さが一致したものとなり、また図１に示すように、該台座４０側面にはソケット４０３を設けることで、プラグが挿し込まれる個所を提供する。
【００１０】
【考案の効果】
本考案によると、台座を付けたことで従来のようなワイヤの長さの制限が解消され、且つスムーズにワイヤをマウスより出し入れすることに成功した。
【図面の簡単な説明】
【図１】本考案のマウス本体と台座との連結における立体分解図である。
【図２】本考案の台座における断面図である。
【図３】本考案のもう一つの立体分解図である。
【図４】本考案の台座の円弧凸縁における立体拡大図である。
【図５】本考案の台座内部のＡ，Ｂ各ワイヤ巻取輪の直径を等しいものとした場合における断面図である。
【図６】本考案の大，小回転軸が同軸上で回転する様子を示す側面図である。
【符号の説明】
１０　Ａワイヤ巻取輪
１００　ワイヤ巻取装置
１１　側面溝
１２　中心孔
１３　環状片
１３１　切り込み
１５　Ａワイヤ巻取凹部
２０　Ｂワイヤ巻取輪
２５　Ｂワイヤ巻取凹部
３０　固定軸
４０　台座
４０１　上外殻
４０２　下外殻
４０３　ソケット
４２　収納空間
４３　上パイロット孔
４３１　ストップ部
４４　下パイロット孔
４５　円弧凸縁
４５１　凸架
４８　表面
５０　マウス本体
５１　外周
５２　ワイヤ
５２１　内線
５２２　外線
５５　プラグ
８０　渦巻状巻取りばね
８１　内端
８２　外端
【図１】
0003097672.tif 000003
【図２】
0003097672.tif 000004
【図３】
0003097672.tif 000005
【図４】
0003097672.tif 000006
【図５】
0003097672.tif 000007
【図６】
0003097672.tif 000008